(57)【要約】【課題】ポリ袋を塵入れに用いる場合にも転倒するおそれがなく、又床面を這う害虫が侵入し難い袋ホルダーを提供する。【解決手段】ホルダー本体（２０）の左右両側に係止部（２３）を形成し、係止部にポリ袋（５０）の一対の吊下げ把手部（５１）を引っ掛けられることによってポリ袋の出入れ口を開放状態に保持しつつポリ袋を吊下げる。吊下げ体（３０）を吊下げ構造部分に引っ掛け、ホルダー本体の一端を吊下げ構造部分に当接させることによってホルダー本体をほぼ水平な姿勢にして吊下げ構造部分から吊下げる。【選択図】　図１
2004051137.tif 000002
【特許請求の範囲】
【請求項１】
一対の吊下げ把手部を有する樹脂製袋の出入れ口を開放させた状態で吊下げ構造部分から上記樹脂製袋を吊下げる袋ホルダーであって、
左右両側に係止部を有し、該係止部に上記一対の吊下げ把手部が引っ掛けられることによって上記樹脂製袋の出入れ口を開放状態に保持しつつ上記樹脂製袋を吊下げるホルダー本体と、
上記吊下げ構造部分に引っ掛けられ、上記ホルダー本体の一端が上記吊下げ構造部分に当接されることによって上記ホルダー本体がほぼ水平な姿勢となるように上記ホルダー本体を吊下げる吊下げ体と、
を備えたことを特徴とする袋ホルダー。
【請求項２】
上記ホルダー本体は左右の側辺部分と両側辺部分を相互に連結する連結辺部分と有する平面ほぼＵ字をなし、上記左右の側辺部分に上記係止部が形成されている請求項１記載の袋ホルダー。
【請求項３】
上記ホルダー本体は合成樹脂材料で型成形させれている請求項１又は２記載の袋ホルダー。
【請求項４】
上記左右の側辺部分と連結辺部分とが相互に組立て分解可能に構成されている請求項２又は３記載の袋ホルダー。
【請求項５】
上記吊下げ体が紐、ロープ、チェーン、ベルト又はワイヤーで構成されている請求項１ないし４のいずれかに記載の袋ホルダー。
【請求項６】
上記吊下げ構造部分が椅子の背もたれ、室内の壁面あるいは机等の家具類である請求項１ないし５のいずれかに記載の袋ホルダー。
【請求項７】
一対の吊下げ把手部を有する樹脂製袋と、
左右両側に係止部を有し、該係止部に上記一対の吊下げ把手部が引っ掛けられることによって上記樹脂製袋の出入れ口を開放状態に保持しつつ上記樹脂製袋を吊下げるホルダー本体と、
上記吊下げ構造部分に引っ掛けられ、上記ホルダー本体の一端が上記吊下げ構造部分に当接されることによって上記ホルダー本体がほぼ水平な姿勢となるように上記ホルダー本体を吊下げる吊下げ体と、
を備えたことを特徴とする塵入れ。
【発明の詳細な説明】
【０００１】
【発明の属する技術分野】
本発明は袋ホルダーに関し、特に塵入れに用いる場合にも転倒するおそれのないようにしたホルダーに関する。
【０００２】
【従来の技術】
例えば、商店等で食品等の商品を購入すると、商品の持ち返りに便利なように、図５に示されるような樹脂製袋５０（以下、単にポリ袋ともいう）に商品を入れてくれることが多い。かかるポリ袋５０は吊下げ把手部５１を相互に縛るとそのまま廃棄できることから，塵入れに再利用することが行われており、特に最近は塵入れに再利用されることを考慮し、焼却しても塩素等の有害ガスが発生しない樹脂材料が用いられる傾向にある。
【０００３】
従来、ポリ袋５０を再利用した塵入れには、図６に示されるように、逆Ｕ字状パイプをＸ字状に組合せて構成したホルダー６０のフック６１にポリ袋５０の吊下げ把持部５１を引っ掛け、開口を開いた状態にしてポリ袋５０を吊下げるようしたものがあった。
【０００４】
また、図７に示されるように、ごみ箱７０にポリ袋５０を差し込み、ポリ袋５０の上端縁及び吊下げ把持部５１をごみ箱７０の外周面に折り返して塵入れとすることも行われていた。
【０００５】
【発明が解決しようとする課題】
しかし、従来の塵入れではホルダー６０やごみ箱７０を床面上に置くようにしているので、床面を箒で掃いたりモップをかける時に塵入れが邪魔になり、誤って転倒させるとポリ袋内の塵が床面上に散らばってしまうことがあった。
【０００６】
また、ごみ箱７０を床面上に置いた場合、ゴキブリ等の害虫が塵入れ内に入り込みやすく、塵に繁殖している有害な雑菌が害虫とともに移動して病気を伝染するおそれがある。特に、病院や介護施設では病気の伝染には注意を払う必要がある。
【０００７】
本発明は、かかる問題点に鑑み、塵入れに用いる場合にも転倒するおそれがなく、しかも床面を這う害虫が侵入しにくくした袋ホルダーを提供することを課題とする。
【０００８】
【課題を解決するための手段】
そこで、本発明に係る袋ホルダーは、一対の吊下げ把手部を有する樹脂製袋の出入れ口を開放させた状態で吊下げ構造部分から上記樹脂製袋を吊下げる袋ホルダーであって、左右両側に係止部を有し、該係止部に上記一対の吊下げ把手部が引っ掛けられることによって上記樹脂製袋の出入れ口を開放状態に保持しつつ上記樹脂製袋を吊下げるホルダー本体と、上記吊下げ構造部分に引っ掛けられ、上記ホルダー本体の一端が上記吊下げ構造部分に当接されることによって上記ホルダー本体がほぼ水平な姿勢となるように上記ホルダー本体を吊下げる吊下げ体と、を備えたことを特徴とする。
【０００９】
本発明の特徴の１つは吊下げ体によって吊下げ構造部分からホルダー本体を吊下げ、ホルダー本体の一端を吊下げ構造部分に当接させてホルダー本体をほぼ水平に保持し、ホルダー本体の係止部に樹脂製袋の吊下げ把手部を引っ掛けてその出入れ口を開放させて樹脂製袋を吊下げるようにした点にある。
【００１０】
これにより、その出入れ口を開放させて樹脂製袋を空中に吊下げることができる。その結果、樹脂製袋を塵入れに利用する場合に床面を箒で掃いたりモップをかける時に塵入れが邪魔になることはなく、又誤って塵入れを転倒させて樹脂製袋内の塵が床面上に散らばってしまうこともない。さらには、ゴキブリ等、床面を這う害虫が塵入れ内に侵入し難くなり、病気の伝染のおそれを解消できる。
【００１１】
本発明に係る袋ホルダーは樹脂製袋を塵入れに利用する場合に適用するとその効果が大きいが、樹脂製袋を小物入れに利用する場合にも適用できる。
【００１２】
ホルダー本体は出入れ口を開放して樹脂製袋を吊下げることができればどのような形状や構造でもよいが、簡単な形状が好ましい。
【００１３】
例えば、ホルダー本体は左右の側辺部分と両側辺部分を相互に連結する連結辺部分と有する平面ほぼＵ字となし、左右の側辺部分に係止部を形成することができる。
【００１４】
係止部は外方又は上方に突出した突起とし、これに樹脂製袋の吊下げ把手部を外側又は内側から引っ掛けるようにすることができる。また、側辺部分に複数のスリットを並べて形成し、樹脂製袋の寸法に応じた適切な間隔の２つのスリットに吊下げ把手部を掛け渡して引っ掛けるようにすることもできる。
【００１５】
ホルダー本体の材料は特に限定されず、例えば木材や金属材料等を用いて製作することもできるが、製造コストを考慮すると、ホルダー本体は合成樹脂材料で型成形するのがよい。
【００１６】
ホルダー本体は全体が一体的に構成されていてもよいが、持ち運ぶ際に嵩張らないように、左右の側辺部分と連結辺部分とを相互に組立て分解可能に構成するのがよい。
【００１７】
吊下げ体はホルダー本体を吊下げることができればどのような材料で製作してもよく、又どのような形状であってもよい。例えば、合成樹脂材料でプレート状や柄状に製造してもよい。しかし、簡単な構造で、しかも低コストという点を考慮すると、紐、ロープ、チェーン、ベルト又はワイヤーで構成されるのが好ましい。
【００１８】
吊下げ構造部分は袋ホルダーを吊下げることができればどのようなものであってもよく、例えば椅子の背もたれ、室内の壁面、机等の家具類の天板を利用することができる。椅子の背もたれには上端に２つの突起があることが多く、かかる突起を利用して吊下げ体を引っ掛けることができる。また、室内の壁面や家具類の天板の場合には吊下げ体を引っ掛けるフック等を利用するのがよい。
【００１９】
また、本発明によれば、一対の吊下げ把手部を有する樹脂製袋と、左右両側に係止部を有し、該係止部に上記一対の吊下げ把手部が引っ掛けられることによって上記樹脂製袋の出入れ口を開放状態に保持しつつ上記樹脂製袋を吊下げるホルダー本体と、上記吊下げ構造部分に引っ掛けられ、上記ホルダー本体の一端が上記吊下げ構造部分に当接されることによって上記ホルダー本体がほぼ水平な姿勢となるように上記ホルダー本体を吊下げる吊下げ体と、を備えたことを特徴とする塵入れを提供することができる。
【００２０】
【発明の実施の形態】
以下、本発明を具体例に基づいて詳細に説明する。図１及び図２は本発明に係る袋ホルダーの好ましい実施形態を示し、これは塵入れに適用した例である。本例の塵入れ１０は図１の（ａ）に示されるように基本的にはホルダー本体２０と吊下げ体３０とから構成されている。
【００２１】
ホルダー本体２０は合成樹脂材料を用いて型成形されたもので、左右の両側辺部分２１と両側辺部分２１の一端を相互に連結した連結辺部分２２とからなる平面ほぼＵ字状に形成され、両側辺部分２１及び連結辺部分２２は上方から見て平板状をなしている。
【００２２】
また、両側辺部分２１の中央には係止部２３が外方に突設され、ポリ袋５０の吊下げ把手部５１が引っ掛けられるようになっている。さらに、両側辺部分２１の前端部及び後端部には取付け穴が穿設されている。
【００２３】
他方、吊下げ体３０には紐が用いられ、吊下げ体３０の両端部分は両側辺部分２１の前後の取付け穴に挿通されて結び目が作られて抜け止めされている。この吊下げ体３０の中央より後端側の部位には引っ掛け輪３１が作られ、椅子の背もたれの上端突起や壁面に固定したフックに引っ掛けられるようになっている。また、図１の（ｂ）に示されるように、吊下げ体３０の引っ掛け輪３１に相当する部位にＬ字状のフック３２を連結し、フック３２を机の天板に引っ掛けるようにすることもできる。
【００２４】
ポリ袋５０を塵入れに用いる場合、袋ホルダー１０の吊下げ体３０の引っ掛け輪３１を椅子の背もたれの突起に引っ掛け、ホルダー本体２０の後端縁を背もたれに当接させると、ホルダー本体２０を図１の（ａ）に示されるほぼ水平に保持することができる。
【００２５】
そこで、ポリ袋５０をホルダー本体２１の下側にもって行き、左右の吊下げ把手部５１を外側から係止部２３に引っ掛けると、図２に示されるように、ポリ袋５０のホルダー本体２０に吊下げることができるとともに、その出入れ口を開放することができる。
【００２６】
その結果、塵入れを空中に吊下げることができるので、床面を箒で掃いたりモップをかける時に塵入れが邪魔になることはなく、又誤って塵入れを転倒させて樹脂製袋内の塵が床面上に散らばってしまうこともない。
【００２７】
また、塵入れが空中に吊下げられているので、ゴキブリ等、床面を這う害虫が塵入れ内に侵入し難く、病気の伝染のおそれを解消できる。
【００２８】
図３及び図４は第２の実施形態を示し、図において図１及び図２と同一符号は同一又は相当部分を示す。本例では両側辺部分２１と連結辺部分２２とが別体に製造され、連結辺部分２２には取付け基部２４が垂直に固定され、取付け基部２４及び側辺部分２１の後端部位にはねじ穴が形成されている。
【００２９】
側辺部分２１と取付け基部２４とはねじ穴が一致するように重ね合わされてねじ２５が挿通されてナット２６に螺合されることによって相互に締めつけ固定されており、側辺部分２１は側方から見た時に平板状をなしている。
【００３０】
ポリ袋５０を塵入れに用いる場合は第１の実施形態と同様であるのでその詳細な説明は省略する。
【００３１】
本例においては塵入れが清掃中に邪魔になることはなく、転倒して塵が散乱することもないばかりでなく、さらにはねじ２５とナット２６を外すことによってホルダー本体２１を分解することができるので、使用しない時にはコンパクトにして持ち運びに便利である。
【図面の簡単な説明】
【図１】本発明に係る袋ホルダーの好ましい実施形態を示す概略斜視図である。
【図２】上記実施形態の使用状態を示す概略斜視図である。
【図３】第２の実施形態を示す概略斜視図である。
【図４】上記実施形態の使用状態を示す概略斜視図である。
【図５】ポリ袋の１例を示す斜視図である。
【図６】従来の袋ホルダーの１例を示す斜視図である。
【図７】他の塵入れを示す図である。
【符号の説明】
１０　　　袋ホルダー
２０　　　ホルダー本体
２１　　　側辺部分
２２　　　連結辺部分
２３　　　突起
３０　　　吊下げ体
３１　　　引っ掛け輪
５０　　　ポリ袋（樹脂製袋）
５１　　　吊下げ把手部
【図１】
2004051137.tif 000003
【図２】
2004051137.tif 000004
【図３】
2004051137.tif 000005
【図４】
2004051137.tif 000006
【図５】
2004051137.tif 000007
【図６】
2004051137.tif 000008
【図７】
2004051137.tif 000009